(57)【要約】【課題】光沢を有する蒲鉾状の画線に動的効果を創出する潜像画線を形成することで、動画的効果を伴う偽造防止媒体であって、蒲鉾状画線の光沢度及び画線形状を確実に得ることができる偽造防止媒体を提供する。【解決手段】基材上に光反射性シートを貼付し、貼付時の刻印によって光反射性シート表面に規則的に一定ピッチで形成された蒲鉾状の画線を形成し、蒲鉾状に形成された画線上に潜像画像を形成する画線を第１のピッチと同一ピッチで重ねて形成することで、観察角度を変化させると動画的な潜像画像が出現する偽造防止媒体である。【選択図】図２
2015054471.tif 000002
【特許請求の範囲】
【請求項１】
基材上の少なくとも一部に、光反射性層によって形成された蒲鉾状の第１の画線が第１の方向に沿って規則的に第１のピッチで複数形成された蒲鉾状画線群と、
正反射光下において前記第１の画線と色彩の異なる第２の画線が前記第１の方向に沿って規則的に前記第１のピッチで複数形成された潜像画線群を備え、
前記潜像画線群は、前記蒲鉾状画線群に重畳する位置に形成され、
前記蒲鉾状画線群における各々の前記第１の画線に隣接又は挟まれた非画線部は、前記基材の高さより低い状態として形成され、
前記潜像画線群は、潜像画像の基となる基画像を所定の幅で分割したフレーム内画像を前記第１の方向に沿って隣接する各々の前記フレーム内画像の一部が重複するように所定のピッチずつずらして形成されたフレーム内画像を、前記第１の方向沿って所定の縮率で圧縮して形成された各々の前記第２の画線が各々の前記第１の画線の少なくとも一部に重なるように形成され、
前記偽造防止形成体を正反射光下で観察した場合に、前記潜像画像が観察され、更には正反射光下で前記蒲鉾状画線群の表面に入射する光の位置を変更することで、前記潜像画像が動画的に観察されることを特徴とする偽造防止形成体。
【請求項２】
前記潜像画線群は、各々の前記フレーム内画像の幅方向における中心線と、各々の前記第１の画線における画線幅方向の中心線が一致するように重ねて形成されたことを特徴とする請求項１記載の偽造防止媒体。
【請求項３】
前記光反射性層は、蒸着薄膜層であることを特徴とする請求項１又は２記載の偽造防止媒体。
【請求項４】
前記第１の画線における蒲鉾状の最頂部の高さが前記基材表面の高さと同一であることを特徴とする請求項１乃至３のいずれか一項に記載の偽造防止媒体。
【請求項５】
前記請求項１乃至４のいずれか一項に記載の偽造防止媒体の作製方法であって、
前記基材上の少なくとも一部に形成又は貼付された前記光反射性層に、前記蒲鉾状の凹部を有する型を用いて前記基材の内部に押し込まれた複数の前記第１の画線を形成する前記蒲鉾状画線群の作製工程と、
前記蒲鉾状画線群上に前記第１の画線と色彩の異なるインキによって複数の前記第２の画線を印刷する前記潜像画線群の作製工程により形成されたことを特徴とする偽造防止媒体の作製方法。
【請求項６】
前記蒲鉾状画線群は、前記基材に前記光反射性層を貼付する際の圧力によって型押しされたことを特徴とする請求項５記載の偽造防止媒体の作製方法。
【発明の詳細な説明】
【技術分野】
【０００１】
本発明は、銀行券、旅券、有価証券、商品券及び各種証明書等の偽造及び複製等の防止が求められる分野において、基材自体に光反射性の凸部を設け、光の入射角度に応じて動画的な視覚効果を備えた画像が形成された偽造防止媒体に関する発明である。
【背景技術】
【０００２】
従来、銀行券、旅券、商品券及び各種証明書等の貴重製品は、偽造防止技術を付与することが求められることから、貴重製品の真偽判別を目視により行う偽造防止技術が多数開示されている。例えば、回折格子により複数の画像が形成されたホログラムが代表例として挙げられ、ホログラムは、光の入射角に応じて回折パターンからの反射光量が変化することで複数の画像が観察されるものである。
【０００３】
このホログラムに更なる偽造防止機能を付与した技術として、本出願人は、ホログラムに形成された金属箔を部分的に除去することで、透過光下で観察される潜像画像が形成されたホログラムについて出願している（例えば、特許文献１参照）。この技術は、金属箔に規則的なピッチ及び画線幅によって形成された非金属箔領域を形成し、さらには、潜像画像部分の画線幅を他の画線幅よりも太く形成するか、又は画線の位相を異ならせて形成することで、他の領域と異なる透過光が発生し、潜像画像が観察されるものである。
【０００４】
また、本出願人は、ホログラムの金属箔に複数の貫通孔を設けることで、反射光下では回折格子による複数の画像が観察され、透過効果では反射光下と異なる画像が観察され、更にはホログラム上にレンチキュラーレンズ等の判別具を介在させて透過光下で観察した場合に、新たな画像が観察される偽造防止用形成体を出願している（例えば、特許文献２参照）。
【０００５】
また、その他の偽造防止技術を付与した印刷物として、本出願人は、高い反射性を有する材料により、規則的に所定のピッチで複数形成された蒲鉾状の第１の画線を形成し、第１の画線上に潜像画像の基となる画像を部分的に切り出した第２の画線を、第１の画線と異なる反射特性を有する色材によって第１の画線と同一のピッチで形成することで、観察角度を変化させると動画的な潜像画像が観察される印刷物について出願している（例えば、特許文献３参照）。
【先行技術文献】
【特許文献】
【０００６】
【特許文献１】特許第４７８３９４３号公報
【特許文献２】特開２０１１−１５８５７３号公報
【特許文献３】特許第５２００２８４号公報
【発明の概要】
【発明が解決しようとする課題】
【０００７】
しかしながら、特許文献１及び特許文献２の発明では、透過光下において観察される潜像画像を付与することはできるものの、金属箔を部分的に除去していることから、ホログラム上に形成された回折格子による画像の視認性が低下するという課題が残されていた。
【０００８】
また、特許文献２の発明では、判別具を用いることで、偽造防止効果の向上が図れているものの、真偽判別時に透過光下において判別具を重ねるという複雑な観察条件が必要となることから、銀行窓口等の真正性を判断する者が瞬時に真偽判別することができるものではないという課題が残されていた。
【０００９】
さらに、特許文献１及び特許文献２の発明では、反射光下と透過光下で観察される画像が全く別の画像であるという、画像のスイッチ効果はあるものの、潜像画像が動画的に観察されるような効果を有していないため、偽造防止効果の更なる向上が求められていた。
【００１０】
また、特許文献３の発明には、複数の製造上の課題がある。一つ目の課題は、基材上に凸状の画線を形成するため、流通過程で凸状の画線及び凸状の画線上に形成された潜像画線が損傷しやすく、動画的効果が消失するおそれがあることや、印刷物を一定量重ねた際に、凸状の画線が形成された領域と、それ以外の領域における積載高さに偏りが生じるという課題が残されていた。
【００１１】
さらに、特許文献３における二つ目の課題としては、潜像画像の動的効果を得るために必須となる、凸状の画線表面から高い光反射性を付与する必要があるため、凸状の画線を形成するインキには、金、銀又はパール等の光輝性材料を含むインキが用いられるが、各々の印刷画線において、光輝性材料を各々の凸状の画線表面に配向させなければ、高い光反射性を付与することができないことである。この、高い光反射性を得ることができない理由について説明する。
【００１２】
図１１は、パール顔料を含むスクリーンインキにより、凸状の画線を形成した状態を示すものである。凸状の画線１´に含まれるパール顔料が、インキ皮膜内部において分散された場合、図１１（ａ）に示すように、凸状の画線１´表面に入射した光源４がインキ皮膜内部のパール顔料に到達することから、インキ皮膜内部のワニスに吸収されるとともに、各々のパール顔料が配向する方向に光が分散されて反射することから、強い正反射光を得ることができない。一方、図１１（ｂ）に示すように、パール顔料が凸状の画線１´表面に配向した状態の場合、画線１´表面に入射する光源５は、皮膜表面に配向するパール顔料によって反射し、強い正反射光を得ることができるのである。よって、強い正反射光を得るためには、顔料配向性を考慮した形成方法が必須となる。
【００１３】
パール顔料等を含む凸状の画線において、画線表面に顔料を配向させる機能を得るためには、表面配向性に優れたリーフィング処理が施された材料等を用いることが必須となり、このリーフィング処理された材料は、非常に高価であることから、コスト面における課題が残されていた。
【００１４】
本発明は、前述した課題を解決するために創出されたものであり、凸状の画線を印刷方式で形成するのではなく、銀箔、金箔及びホログラム等の金属箔を貼付方式（加工方式）によって形成し、貼付時の刻印により金属箔自体に凸形状の画線を形成することで、強い正反射光を創出する凸状の画線を正確に形成することができる。この正確に形成された凸状の画線上に第２の潜像画線を形成することで、動画的な潜像画像を視認することができる偽造防止媒体である。
【課題を解決するための手段】
【００１５】
本発明の偽造防止媒体は、基材上の少なくとも一部に、光反射性層によって形成された蒲鉾状の第１の画線が第１の方向に沿って規則的に第１のピッチで複数形成された蒲鉾状画線群と、正反射光下において第１の画線と色彩の異なる第２の画線が前記第１の方向に沿って規則的に第１のピッチで複数形成された潜像画線群を備え、潜像画線群は、蒲鉾状画線群に重畳する位置に形成され、蒲鉾状画線群は、基材内部に押し込まれて形成されたことで各々の第１の画線に隣接又は挟まれた非画線部が、基材の厚さより薄い状態として形成され、潜像画線群は、潜像画像の基となる基画像を所定の幅で分割したフレーム内画像を第１の方向に沿って隣接する各々のフレーム内画像の一部が重複するように所定のピッチずつずらして形成されたフレーム内画像を、第１の方向沿って所定の縮率で圧縮して形成された各々の第２の画線が各々の第１の画線の少なくとも一部に重なるように形成され、偽造防止形成体を正反射光下で観察した場合に、潜像画像が観察され、更には正反射光下で蒲鉾状画線群の表面に入射する光の位置を変更することで、潜像画像が動画的に観察されることを特徴とする偽造防止形成体である。
【００１６】
また、本発明の偽造防止媒体における潜像画線群は、各々のフレーム内画像の幅方向における中心線と、各々の第１の画線における画線幅方向の中心線が一致するように重ねて形成されたことを特徴とする偽造防止媒体である。
【００１７】
また、本発明の偽造防止媒体における光反射性層は、蒸着薄膜層であることを特徴とする偽造防止媒体である。
【００１８】
また、本発明の偽造防止媒体は、第１の画線における蒲鉾状の最頂部の高さが基材表面の高さと同一であることを特徴とする偽造防止媒体である。
【００１９】
また、本発明の偽造防止媒体の作製方法であって、基材上の少なくとも一部に形成又は貼付された光反射性層に、蒲鉾状の凹部を有する型を用いて基材の内部に押し込まれた複数の第１の画線を形成する蒲鉾状画線群の作製工程と、蒲鉾状画線群上に第１の画線と色彩の異なるインキによって複数の第２の画線を印刷する潜像画線群の作製工程により形成されたことを特徴とする偽造防止媒体の作製方法である。
【００２０】
さらに、本発明の偽造防止媒体の作製方法における蒲鉾状画線群は、基材に光反射性層を貼付する際の圧力によって型押しされたことを特徴とする偽造防止媒体の作製方法である。
【発明の効果】
【００２１】
本発明の偽造防止媒体は、第１の画線（凸部）を型押しによる加工技術で形成するため、第１の画線（凸部）の断面形状が常に同一で、かつ、滑らかな蒲鉾状の画線を確実に形成することができる。そのため、より滑らかな動画的な動きの潜像画像を観察することができるため、潜像画像の視認性が向上し、高度な偽造防止効果を得るという効果を奏する。
【００２２】
また、本発明の偽造防止媒体は、高い光反射性を有する光反射性層自体に蒲鉾状の画線を形成することから、印刷方式によって凸状の画線を形成する方法と比較して、極めて高い光反射性を得ることができる。この結果、暗い環境、すなわち、少ない光しか発生しない環境下においても潜像画像の視認性が良好であるという効果を奏する。
【００２３】
さらに、本発明の偽造防止媒体は、蒲鉾状の画線を型押しにより基材内部に押し込んで形成するため、基材表面から大きく突起した状態とすることなく凸状の画線を形成することができることから、印刷物を重ねて積載しても高さに偏りが生じることなく、かつ、印刷画線の破損等を抑制することができるという効果を奏する。
【図面の簡単な説明】
【００２４】
【図１】本発明の偽造防止媒体を有する商品券タイプの印刷物を示す図である。
【図２】本発明の偽造防止媒体の一例を示す図である。
【図３】図２におけるＸ‐Ｘ部分の断面図を示す図である。
【図４】図３の部分的な拡大図である。
【図５】本発明の偽造防止媒体における第１の画線の作製工程を示す図である。
【図６】本発明の偽造防止媒体における第２の画線の構成及び第１の画線上に形成される第２の画線の位置関係を示す図。
【図７】第１の画線１と第２の画線２が重なる状態を示す図である。
【図８】第１の画線１の画線の形状によって、観察される潜像画像の動画効果が異なることを示す図である。
【図９】第１の画線１に入射する光源４の位置及び視点６を変化させることで、第１の画線１上に形成された第２の画線２が観察される正反射領域５を示す図である。
【図１０】本発明の偽造防止媒体３において、第１の観察角度Ｓ１、第２の観察角度Ｓ２及び第３の観察角度Ｓ３によって、動画的に観察される潜像画像の見え方を説明する図である。
【図１１】印刷によって凸状の画線を形成した際に、凸状の画線内に含まれる光輝性材料が分散された状態における正反射光と、光輝性材料が画線表面に配向した状態の正反射光が発生する状態を示す図である。
【発明を実施するための形態】
【００２５】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００２６】
（本発明の構成）
図１は、本発明の偽造防止媒体３を基材Ｂ上に形成した商品券タイプの印刷物Ｓを示す図である。印刷物Ｓは、基材Ｂとなる用紙表面に、オフセット印刷によって形成された地紋模様Ｊ、凹版印刷によって形成された人像Ｈ及び料額Ｒを有している。
【００２７】
印刷物Ｓ上に形成された偽造防止媒体３は、貼付機等の加工機により、基材Ｂ上に銀箔等の光反射性シートＡを貼付した後に、オフセット印刷により潜像画像の基となる第２の画線が形成されたものである。なお、偽造防止媒体３における第１の画線は、貼付機により銀箔等の光反射性シートＡを貼付する際に凸状の画線を形成することができる凹状の型を用いて刻印し、光反射性シートＡを表面に有する凸状の画線が形成されるように型押しにより形成しているが、形成方法については後述にて詳細に説明する。
【００２８】
また、本発明の偽造防止媒体３を形成する基材Ｂは、紙、プラスチック及びフィルム等を用いることが可能であり、光反射性シートＡを貼付して第１の画線１を形成し、更には第１の画線１上に第２の画線２を形成することができる基材Ｂであれば何ら限定されるものではない。基材Ｂの厚みは、好ましくは、０．０５〜１．０ｍｍの厚みを有する基材Ｂを用いることが望ましい。これは、基材Ｂへ光反射性シートＡを貼付する際に、基材Ｂ内部に光反射性シートＡを押し込むことで第１の画線１を形成することから、基材Ｂ自体が所定の厚みを有する必要があるためである。厚さ０．０５ｍｍ以下の基材を用いた場合、光反射性シートＡに適正な凸形状を有する第１の画線１を形成することができないため、好ましくない。また、厚さ１．０ｍｍ以上の基材Ｂを用いた場合、基材Ｂ内部への光反射性シートＡの押し込み量が多くなり、結果として基材Ｂ表面の高さより低い第１の画線１が形成されることから、潜像画像の視認性が劣り、好ましくない。
【００２９】
また、基材Ｂへの第１の画線１の形成は、地紋Ｊを形成するオフセット印刷、料額Ｒ及び人像Ｈを形成する凹版印刷が形成された状態で貼付しても良いが、第１の画線１上に形成する第２の画線２の印刷を考慮すると、地紋Ｊ等の印刷前の基材Ｂに光反射性シートＡを貼付することで第１の画線１を形成し、第１の画線１が形成された基材Ｂに対して、地紋Ｊ、料額Ｒ、人像Ｈ及び第２の画線２を形成することで、１パス工程により印刷物Ｓを得ることができる。
【００３０】
図２は、図１の印刷物Ｓにおける偽造防止媒体３を拡大した状態を示すものである。本発明の偽造防止媒体３は、図２のように、基材Ｂ上に光反射性シートＡを貼付する際に凹状の型によって型押しすることで凸状の第１の画線１を形成し、第１の画線１上に潜像画像の基となる第２の画線２が形成される。
【００３１】
図３は、図２の偽造防止媒体３におけるＸ−Ｘ部分の断面図を示すものである。図３のように、基材Ｂに第１の画線１を形成する際に、基材Ｂ内部に押し込まれた状態で凸状の第１の画線１が形成され、更には第１の画線１上に潜像画像を形成する第２の画線２が形成される。第１の画線１は、所定の方向に沿って規則的に一定ピッチで形成された蒲鉾状の画線として形成され、第２の画線２は、第１の画線１と同一ピッチで規則的に形成されている。
【００３２】
図４は、図３の画線における部分的な拡大図を示すものであり、基材Ｂ上に形成された第１の画線１上に潜像画像を形成する第２の画線２が形成されたものである。図４に示すとおり、基材Ｂ内部に押し込まれた光反射性シートＡにより、規則的な蒲鉾状の第１の画線１が形成されるため、第１の画線１の表面には、光反射層１ａが形成されている。また、規則的に形成された第１の画線１上に潜像画像の基となる第２の画線２を重ねて形成することで、第１の画線１における表面に形成された光反射層１ａからの反射光と、第１の画線１上に形成された第２の画線２表面からの反射光量の差によって、潜像画像が出現するものである。なお、潜像画像の視認原理については、後述にて詳細に説明する。
【００３３】
次に、第１の画線１の作製方法について図５を用いて説明する。図５（ａ）は、第１の画線１を形成する凹状の型を有する刻印Ｋ、第１の画線１表面に光反射層１ａを形成する光反射性シートＡ、基材Ｂ及び光反射シートＡを刻印Ｋとの間に挟み込んで固定する定盤Ｄを示すものである。図５（ａ）の状態から、刻印Ｋを定盤Ｄ方向に移動させ、圧力をかけることで基材Ｂ内部に光反射性シートＡが押し込まれた状態を示すのが図５（ｂ）であり、更には図５（ｂ）の工程により、基材Ｂ内部に光反射性シートＡが押し込まれた状態を示すものが図５（ｃ）であり、基材Ｂ内部に押し込まれた、所定の高さ１Ｔ、所定のピッチ１Ｐ及び所定の幅１Ｗを有する第１の画線１が形成された状態を示すものであり、第１の画線１表面には、光反射層１ａが形成された状態である。なお、刻印Ｋの半円状の凹部は、レーザ、エンドミルの加工及び腐食エッチング等、公知の方法で作製することができる。
【００３４】
第１の画線は、凹状の刻印Ｋと定盤Ｄに挟まれた基材Ｂ及び光反射性シートを強圧により加圧して形成するため、加圧された基材Ｂの領域は全体的に凹んだ状態となるが、刻印Ｋの表面に形成された凹状の領域が凸上の第１の画線１となる。このとき、第１の画線１の断面形状は、蒲鉾状の半円形状により規則的に配置される。
【００３５】
第１の画線１におけるピッチ１Ｐは、０．１〜０．５ｍｍの範囲内とすることができ、好ましくは、０．２〜０．４ｍｍが好適である。さらに、第１の画線１の高さ１Ｔは、０．０１〜０．０５ｍｍの範囲内とすることができ、０．０１〜０．０３ｍｍが好適である。なお、図５では、第１の画線１が形成された基材Ｂ下部が平坦な状態として図示しているが、必須の構成ではないため、適宜選択して設計すれば良い。
【００３６】
また、第１の画線１の表面に形成する光反射層１ａは、蒸着薄膜層で形成することが望ましい。例えば、アルミニウム、チタン、ジルコニウム、錫及び珪素等、公知の材料を用いれば良い。また、光反射層１ａの厚さは、５〜９００ｎｍの範囲内で適宜選択すれば良い。また、蒸着薄膜層１ａの色は、銀色、金色、虹彩色、パール色又は透明色等を用いることができ、適宜選択すれば良い。
【００３７】
以上説明したように、本発明の第１の画線１は、貼付機等の加工技術よって強い正反射光を発生させる光反射性シートＡに蒲鉾状の画線を強制的に形成されるため、印刷方式で懸念される形状変化による課題が解消される。そのため、常に安定した蒲鉾状の断面を作製することができる。一方、第１の画線１の表層には、強制的に光反射層１ａが形成されるため、印刷により形成した場合のインキ層と比較して高い光反射性を得るとともに、印刷による形成時の課題であったインキに含まれる光輝性材料の表面配向性を得る材料を用いる必要がない。これにより、強制的に形成された蒲鉾状の強い光反射性を有する第１の画線１を形成することができることから、動画的効果が向上する。
【００３８】
次に、第２の画線２の構成について図６を用いて説明する。図６（ａ）は、第２の画線２によって形成された基画像Ｍを示すものであり、「Ｐ」の文字が形成されたものである。第２の画線２は、基画像Ｍを任意のフレームＦにより切り出して形成されたフレーム内画像を作製しているが、ここでは、基画像Ｍを切り出すフレーム幅ＦＷを設定し、切り出した基画像Ｍの一部がオーバーラップするように所定の方向に沿って所定のずらし量ＦＬにより各々のフレームＦ１〜Ｆ７を作製している。
【００３９】
図６（ａ）において作製されたフレームＦ１〜Ｆ７は、図６（ｂ）のように分割され、各々のフレームＦ１〜Ｆ７を各々の第１の画線１上に重ねて形成するため、所定の縮率によって圧縮される。この、各々のフレームＦ１〜Ｆ７の圧縮幅２Ｗは、第１の画線１の幅１Ｗと同一又は第１の画線１の幅１Ｗ以下とすることが好ましい。第１の画線１の幅以上の幅でフレームＦを圧縮した場合、第１の画線１上に形成した第２の画線２が第１の画線１の凸部が存在しない領域、すなわち、凸部の谷間となる間隔Ｙ部分に形成されることから、観察されない画線部分が発生することでスムーズな動画効果を得ることができないため、好ましくない。また、各々のフレームＦ１〜Ｆ７の間隔Ｙについては、各々の第１の画線１に隣接又は挟まれた谷間部分の幅１Ｐ−１Ｗと同一とすることが好ましいが、第１の画線１の幅１Ｗと圧縮されたフレームＦの幅２Ｗの関係により適宜選択することができる。また、潜像画像の作成方法は、米国特許第５７０８７１７号等、公知の技術を用いれば良い。
【００４０】
また、第１の画線１上に形成する第２の画線２は、光反射層１ａ表面からの正反射時の色彩と異なる色彩とするものであれば特に限定されず、例えば、物体色を透明又は半透明とするインキを用いて形成することができる。第１の画線１の光沢度と第２の画線２の光沢度の差を大きくすることで潜像画像の視認性が向上することから、低光沢なマットインキを用いることが望ましい。また、これらのインキにチタンのような光遮断性の高い機能性材料を配合すると、より高い効果を得ることができる。
【００４１】
第２の画線２の形成方法は、比較的に高解像度の印刷が可能なオフセット印刷方式、凸版印刷方式又はフレキソ印刷方式が適しているが、インクジェットプリンタ又はレーザプリンタ等のデジタル印刷機を用いて形成することも可能である。また、インキを用いずに形成する方法として、蒲鉾状の第１の画線１表面をレーザ加工機等で切削することで、正反射領域５を部分的に削除し、潜像画像を形成することができる。
【００４２】
図７は、第１の画線１及び第２の画線２の位置関係を示すものである。第１の画線１は、所定のピッチ１Ｐ、所定の画線幅１Ｗによって規則的に形成された複数の蒲鉾状の画線Ｔ１〜Ｔ７として形成され、第２の画線２は、前述したフレームＦ画像が所定の圧縮幅２Ｗにより所定のピッチ２Ｐで形成された複数のフレームＦ１〜Ｆ７が形成される。第１の画線１のピッチ１Ｐと第２の画線２のピッチ２Ｐは、同一とする必要があり、各々の第１の画線１上に各々の第２の画線２が形成される、１対１の関係（例えば、第１の画線Ｔ１上に第２の画線を含むフレームＦ１が形成される関係）とすることで、所定のずらし間隔ＦＬによって基画像Ｍを切り出して形成された各々のフレームＦ１〜Ｆ７画像が結合されて潜像画像を表出することができる。
【００４３】
次に、本発明の偽造防止媒体３における第１の画線１の形状を蒲鉾状の画線形状とする理由について、図８を用いて説明する。図８（ａ）は、蒲鉾状の第１の画線１上に第２の画線２が形成された状態であり、図８（ｂ）は、三角状の第１の画線１上に第２の画線が形成された状態であり、図８（ｃ）は、平坦状の第１の画線１上に第２の画線２が形成された状態である。
【００４４】
前述した図８（ａ）、図８（ｂ）及び図８（ｃ）の画線を第１の観察角度Ｓ１、第２の観察角度Ｓ２及び第３の観察角度Ｓ３から観察した場合に表出する潜像画像の状態を示したものが表１である。
【００４５】
【表１】
2015054471.tif 000003
【００４６】
表１のように、蒲鉾状の第１の画線１上に第２の画線２を形成した場合、蒲鉾状の画線に入射する光によって選択される正反射領域がスムーズに移動することから、第１の観察角度Ｓ１、第２の観察角度Ｓ２及び第３の観察角度Ｓ３において潜像画像「Ｐ」が観察され、更には各々の観察条件までの間においてスムーズに移動する動画的な潜像画像を視認することができた。
【００４７】
また、三角状の第１の画線１上に第２の画線２を形成した場合、第１の観察角度Ｓ１及び第３の観察角度Ｓ３で観察した場合には、潜像画像「Ｐ」を観察することができるが、第２の観察角度Ｓ２で観察した場合、潜像画像を視認することができなかった。さらに、三角状の第１の画線１を用いた場合、第１の観察角度Ｓ１から第２の観察角度Ｓ２に変化させる過程において潜像画像が消失し、第２の観察角度Ｓ２から第３の観察角度Ｓ３に変化させた際に潜像画像「Ｐ」が出現する状態となり、動画的効果は確認することができなかった。
【００４８】
さらに、平坦状の第１の画線１上に第２の画線２を形成した場合、第１の観察角度Ｓ１及び第３の観察角度Ｓ３から潜像画像は観察されず、第２の観察角度Ｓ２のみで潜像画像「Ｐ」が観察された。よって、第１の画線１の形状により、第１の画線１表面に入射する光を正反射する領域（幅）が異なることから、スムーズな動画効果を有する潜像画像を形成するためには蒲鉾状の第１の画線とする必要がある。なお、本発明でいう蒲鉾状の第１の画線１の形状は、蒲鉾形立体のみならず、半円形状又は半楕円形状等の半円立方体の形状も含まれる。
【００４９】
次に、本発明の偽造防止媒体３における潜像画像が動画的に観察される原理について、図９及び図１０を用いて説明する。図９は、１つの第１の画線１上に形成された第２の画線２が、蒲鉾状の第１の画線１表面に対する光源４の入射角度と視点６が異なることで第１の画線１上に形成された第２の画像２における正反射領域５が変化することを示す図であり、固定された光源４からの光により、第１の観察角度Ｓ１、第２の観察角度Ｓ２及び第３の観察角度Ｓ３を再現するため、基材Ｂを傾けて観察角度を変化させた状態を示すものである。
【００５０】
蒲鉾状に形成された第１の画線１の表面に対して入射した光は、光の入射角度と法線をなす方向に強い正反射光を発する。そのため、図９（ａ）の凸状の画線表面の左側方向に光源４を固定し、法線をなす方向である視点６から観察した場合、第１の画線１の左側に位置する画線表面のみが正反射領域５となるため、第１の画線１上に形成された第２の画線２の正反射領域５のみが部分的に選択されて観察される。また、図９（ｂ）の凸状の画線表面の中心方向に光を照射する位置に光源４を固定し、法線をなす方向である視点６から観察した場合、第１の画線１の中心に位置する画線表面のみが正反射領域５となるため、第１の画線１上に形成された第２の画線２の正反射領域５のみが部分的に選択されて観察される。更に、図９（ｃ）の凸状の画線表面の右側方向に光を照射する位置に光源４を固定し、法線をなす方向である視点６から観察した場合、第１の画線１の右側に位置する画線表面のみが正反射領域５となるため、第１の画線１上に形成された第２の画線２の正反射領域５のみが部分的に選択されて観察される。
【００５１】
図１０は、第１の観察角度Ｓ１、第２の観察角度Ｓ２及び第３の観察角度Ｓ３において、各々の第１の画線１及び第２の画線２の表面から選択される正反射領域５が変化することによって観察される、潜像画像の見え方を示すものである。図１０（ａ）は、第１の観察角度Ｓ１により観察される潜像画像を示すものである。前述の図９（ａ）で説明したとおり、蒲鉾状の第１の画線１表面の左側に光源４を固定した際に正反射光領域５となるのは、各々の蒲鉾状の第１の画線１における左側の部分であることから、各々の画線における正反射光領域５の第２の画線２が結合されることで第１の画線Ｔ１からＴ５の間において、基画像Ｍである「Ｐ」が潜像画像として観察される。
【００５２】
図１０（ｂ）は、第２の観察角度Ｓ２により観察される潜像画像を示すものである。前述の図９（ｂ）で説明したとおり、蒲鉾状の第１の画線表面の中心方向に光源４を固定した際に正反射領域５となるのは、各々の蒲鉾状の第１の画線１における中心部分であることから、各々の画線における正反射光領域５の第２の画線２が結合されることで第１の画線Ｔ２からＴ６の間において、基画像Ｍである「Ｐ」が潜像画像として観察される。
【００５３】
図１０（ｃ）は、第３の観察角度Ｓ３により観察される潜像画像を示すものである。前述の図９（ｃ）で説明したとおり、蒲鉾状の第１の画線表面の右側方向に光源４を固定した際に正反射光領域５となるのは、各々の蒲鉾状の第１の画線１における左側部分であることから、各々の画線における正反射光領域５の第２の画線２が結合されることで第１の画線Ｔ３からＴ７の間において、基画像Ｍである「Ｐ」が潜像画像として観察される。以上のように、基画像Ｍの一部が重複するように切り出されたフレームＦを蒲鉾状の第１の画線１に重ねて配置することで、観察角度の変化によって動画的に観察される潜像画像「Ｐ」が出現する。
【００５４】
なお、前述の説明において、潜像画像の視認効果及び動画的効果を説明するため、少ない画線構成で説明したがこれに限定されるものではなく、スムーズな動画的効果を得るためには、多くの画線によって潜像画像を形成することが好ましい。
【符号の説明】
【００５５】
１、１´、Ｔ１、Ｔ２、Ｔ３、Ｔ４、Ｔ５、Ｔ６、Ｔ７          第１の画線
２          第２の画線
３          偽造防止媒体
４          光源
５          正反射領域
６          視点
Ａ          光反射性シート
Ｂ          基材
Ｄ          定盤
Ｆ、Ｆ１、Ｆ２、Ｆ３、Ｆ４、Ｆ５、Ｆ６、Ｆ７          フレーム
Ｈ          人像
Ｊ          地紋
Ｋ          刻印
Ｍ          基画像
Ｒ          料額
Ｓ          印刷物
Ｙ          フレームの間隔
１ａ        光反射層
１Ｔ        第１の画線の高さ
１Ｐ        第１の画線のピッチ
１Ｗ        第１の画線の幅
２Ｐ        第２の画線のピッチ
２Ｗ        第２の画線の幅
ＦＷ        フレームの幅
ＦＬ        フレームのずらし量
Ｓ１        第１の観察角度
Ｓ２        第２の観察角度
Ｓ３        第３の観察角度
【図１】
2015054471.tif 000004
【図２】
2015054471.tif 000005
【図３】
2015054471.tif 000006
【図４】
2015054471.tif 000007
【図５】
2015054471.tif 000008
【図６】
2015054471.tif 000009
【図７】
2015054471.tif 000010
【図８】
2015054471.tif 000011
【図９】
2015054471.tif 000012
【図１０】
2015054471.tif 000013
【図１１】
2015054471.tif 000014